(57)【特許請求の範囲】
【請求項１】
放送局から到来する、放送番組及び、この放送番組に多重化された多重データを含む放送電波を受信する受信手段と、この放送電波から多重データを抽出するデータ抽出手段と、現在受信中の放送電波の受信レベルを検出する受信レベル検出手段と、前記多重データに含まれる代替周波数リストに基づいて追従動作を実行する追従動作実行手段と、この追従動作実行手段にて得られた放送電波の内、所定の受信レベルを有する放送電波を受信手段に受信させる制御手段とを有する多重放送受信装置であって、
前記追従動作実行手段にて得られた放送電波が追従動作直前の放送電波の放送番組に含まれる音声放送番組及び文字放送番組と同一内容の放送電波であるか否かを判定し、前記追従動作実行手段にて得られた放送電波の代替周波数リストと、追従動作直前の放送電波の代替周波数リストとが同一であると、この追従動作実行手段にて得られた放送電波と追従動作直前の放送電波とが同一内容の放送電波であると判定する同一放送判定手段を有し、
前記制御手段は、前記同一放送判定手段にて追従動作直前の放送電波と同一内容の放送電波であると判定された放送電波の内、所定の受信レベルを有する放送電波を受信手段に受信させることを特徴とする多重放送受信装置。
【請求項２】
前記受信手段にて受信中の放送電波に含まれる多重データの文字放送番組に関わる文字放送多重データを順次記憶する記憶手段を有し、
前記制御手段は、前記同一放送判定手段にて追従動作直前の放送電波と同一内容の放送電波であると判定された放送電波の内、所定の受信レベルを有する放送電波を受信手段に受信させると共に、前記追従動作直前に記憶された文字放送多重データを記憶保持することを特徴とする請求項１記載の多重放送受信装置。
【請求項３】
前記同一放送判定手段の動作を開始する操作手段を有し、
前記制御手段は、操作手段からの入力に応じて、前記同一放送判定手段の起動を開始することを特徴とする請求項１又は２記載の多重放送受信装置。
【請求項４】
前記制御手段は、前記同一放送判定手段にて追従動作直前の放送電波と同一内容の放送電波であると判定されなければ、他の追従条件に基づいて前記追従動作実行手段による追従動作を実行することを特徴とする請求項１又は２記載の多重放送受信装置。
【請求項５】
前記制御手段は、前記同一放送判定手段にて追従動作直前の放送電波と同一内容の放送電波であると判定されなければ、他の追従条件に基づいて前記追従動作実行手段による追従動作を実行することを特徴とする請求項３記載の多重放送受信装置。
【請求項６】
前記追従動作実行手段にて得られた放送電波が、追従動作直前の放送電波の多重データに含まれる番組識別コードと同一の番組識別コードを含む放送電波であるか否かを判定する同一番組コード判定手段を有し、
前記制御手段は、前記同一放送判定手段にて追従動作直前の放送電波と同一内容の放送電波でなければ、前記同一番組コード判定手段にて追従動作直前の放送電波と同一の番組識別コードを含む放送電波であると判定された放送電波の内、所定の受信レベルを有する放送電波を受信手段に受信させることを特徴とする請求項１、２、４又は５記載の多重放送受信装置。
【請求項７】
前記追従動作実行手段にて得られた放送電波が、追従動作直前の放送電波の多重データに含まれる番組識別コードと同一の番組識別コードを含む放送電波であるか否かを判定する同一番組コード判定手段を有し、
前記制御手段は、前記同一放送判定手段にて追従動作直前の放送電波と同一内容の放送電波でなければ、前記同一番組コード判定手段にて追従動作直前の放送電波と同一の番組識別コードを含む放送電波であると判定された放送電波の内、所定の受信レベルを有する放送電波を受信手段に受信させることを特徴とする請求項３記載の多重放送受信装置。
【請求項８】
前記追従動作実行手段にて得られた放送電波が、追従動作直前の放送電波の多重データに含まれる番組識別コードと同一の番組識別コードを含む放送電波であるか否かを判定する同一番組コード判定手段を有し、
前記制御手段は、前記同一放送判定手段にて追従動作直前の放送電波と同一内容の放送電波でなければ、前記同一番組コード判定手段にて追従動作直前の放送電波と同一の番組識別コードを含む放送電波であると判定された放送電波の内、所定の受信レベルを有する放送電波を受信手段に受信させることを特徴とする請求項４記載の多重放送受信装置。
【請求項９】
前記追従動作実行手段にて得られた放送電波が、追従動作直前の放送電波の多重データに含まれる地域コードと同一の地域コードを含む放送電波であるか否かを判定する同一地域コード判定手段を有し、
前記制御手段は、前記同一放送判定手段にて追従動作直前の放送電波と同一内容の放送電波でなく、前記同一番組コード判定手段にて追従動作直前の放送電波と同一の番組識別コードの放送電波でなければ、前記同一地域コード判定手段にて追従動作直前の放送電波と同一の地域コードを含む放送電波であると判定された放送電波の内、所定の受信レベルを有する放送電波を受信手段に受信させることを特徴とする請求項６記載の多重放送受信装置。
【請求項１０】
前記追従動作実行手段にて得られた放送電波が、追従動作直前の放送電波の多重データに含まれる地域コードと同一の地域コードを含む放送電波であるか否かを判定する同一地域コード判定手段を有し、
前記制御手段は、前記同一放送判定手段にて追従動作直前の放送電波と同一内容の放送電波でなく、前記同一番組コード判定手段にて追従動作直前の放送電波と同一の番組識別コードの放送電波でなければ、前記同一地域コード判定手段にて追従動作直前の放送電波と同一の地域コードを含む放送電波であると判定された放送電波の内、所定の受信レベルを有する放送電波を受信手段に受信させることを特徴とする請求項７又は８記載の多重放送受信装置。
【請求項１１】
前記追従動作実行手段にて得られた放送電波が、追従動作直前の放送電波の多重データに含まれるネットワークコードと同一のネットワークコードを含む放送電波であるか否かを判定する同一ネットワークコード判定手段を有し、
前記制御手段は、前記同一ネットワークコード判定手段にて追従動作直前の放送電波と同一内容の放送電波でなく、前記同一番組コード判定手段にて追従動作直前の放送電波と同一の番組識別コードの放送電波でなく、前記同一地域コード判定手段にて追従動作直前の放送電波と同一の地域コードの放送電波でなければ、前記同一ネットワークコード判定手段にて追従動作直前の放送電波と同一のネットワークコードを含む放送電波であると判定された放送電波の内、所定の受信レベルを有する放送電波を受信手段に受信させることを特徴とする請求項９記載の多重放送受信装置。
【請求項１２】
前記追従動作実行手段にて得られた放送電波が、追従動作直前の放送電波の多重データに含まれるネットワークコードと同一のネットワークコードを含む放送電波であるか否かを判定する同一ネットワークコード判定手段を有し、
前記制御手段は、前記同一ネットワークコード判定手段にて追従動作直前の放送電波と同一内容の放送電波でなく、前記同一番組コード判定手段にて追従動作直前の放送電波と同一の番組識別コードの放送電波でなく、前記同一地域コード判定手段にて追従動作直前の放送電波と同一の地域コードの放送電波でなければ、前記同一ネットワークコード判定手段にて追従動作直前の放送電波と同一のネットワークコードを含む放送電波であると判定された放送電波の内、所定の受信レベルを有する放送電波を受信手段に受信させることを特徴とする請求項１０記載の多重放送受信装置。
【発明の詳細な説明】
【０００１】
【発明の属する技術分野】
本発明は、主に放送局から到来する多重放送を受信し、この多重放送から音声放送番組の他に、多重データを抽出し、この多重データに基づいて受信装置の制御を行う、或いは、例えば文字放送番組を画面表示するＦＭ多重受信装置に代表される多重放送受信装置に関する。
【０００２】
【従来の技術】
近年、このような多重放送としては、例えば国内で放送が開始されたＦＭ多重放送のように、通常のＦＭラジオ放送である音声番組放送を受聴しながら、文字放送番組をも目視することができる、いわゆる、「見えるラジオ」として広く脚光を浴びている。
【０００３】
この多重放送は、ラジオ放送の放送電波に多重データを多重化して、この多重化された多重データを受信装置側で抽出し、この抽出された多重データを文字放送番組や様々なサービスデータとして取り込ませるようにしたものである。
【０００４】
この多重データには、文字放送番組等の文字放送多重データや、様々なサービスデータが含まれており、例えばサービスデータとしては音声放送番組を識別する番組識別データ（以下、単にＰＩコードと称する）や、周辺地域の同一ネットワーク局の受信周波数を一覧にした代替周波数リスト（以下、単にＡＦリストと称する）等があげられる。
【０００５】
この多重放送受信装置は、現在受信中の放送電波に多重化された文字放送多重データを抽出し、この文字放送多重データをデータ用ＳＲＡＭに記憶保持し、このデータ用ＳＲＡＭに記憶保持中の文字放送多重データを読み出し、この読み出された文字放送多重データに基づいて文字放送番組を画面表示するものである。また、前記多重データに含まれるＡＦリストを利用して行われる多重放送受信装置の機能としては自動追従機能があげられる。
【０００６】
この自動追従機能とは、多重放送受信装置側で現在受信中の多重放送電波からＡＦリストを抽出し、このＡＦリストをメモリに記憶しておき、現在受信中の多重放送電波の受信レベルが低下すると、このメモリに記憶したＡＦリストに基づいて同一ネットワーク局の多重放送電波を自動追従し、この受信レベルが良好な同一ネットワーク局の多重放送電波を受信することにより、常に受信レベルの良好な多重放送電波をユーザーに享受するものである。
【０００７】
このような多重放送受信装置の自動追従機能としては、大きく分けて、弱電界追従動作と強電界追従動作との２種類に分別することができる。
【０００８】
では、ここで弱電界追従動作について図１８に基づき説明する。図１８は従来の多重放送受信装置における弱電界追従処理の処理動作を示すフローチャートである。
【０００９】
この弱電界追従処理とは、現在受信中の放送局の受信レベルが第１の所定レベルまで低下した時点でＡＦリストに基づく追従動作を開始し、追従動作にて得られた放送局の受信レベルが第２の所定レベルまで上がった時点で追従動作を停止するものであり、現在受信中の放送局の受信レベルを継続的に検出しながら、良好な受信レベルの放送局の受信周波数に対してチューニング動作を実行する処理である。
【００１０】
図１８に示す弱電界追従処理において、現在受信中の放送局（以下、単に追従元放送局と称する）の受信レベルを検出し（ステップＳ３０１）、この追従元放送局に関わるＡＦリストがメモリ内に保持してあるか否かを判定する（ステップＳ３０２）。
【００１１】
このメモリ内にＡＦリストが保持してあるのであれば、追従元放送局の受信レベルが追従電界開始レベル以下であるか否かを判定する（ステップＳ３０３）。尚、この追従電界開始レベルとは、放送局の受信状態が維持できなくなるまで低下した受信レベルに相当するものである。
【００１２】
ステップＳ３０３にて追従元放送局の受信レベルが追従電界開始レベル以下であれば、メモリ内に保持してあるＡＦリストに基づいてＡＦ局を順次追従し（ステップＳ３０４）、現在追従されている放送局（以下、単に追従先放送局）の受信レベルを検出し（ステップＳ３０５）、この追従先放送局が追従元放送局と同一放送内容であるか否かを判定する（ステップＳ３０６）。
【００１３】
尚、ここで同一放送内容であるか否かを判別するためには、追従元放送局のＰＩコードを予め記憶しておく必要があり、追従元放送局と追従先放送局とのＰＩコードが同一の場合には、同一放送内容として判定することができる。また、ここでいう同一放送内容とは、これら追従元放送局及び追従先放送局の音声放送番組の放送内容が同一であることを示すものである。
【００１４】
ステップＳ３０６にて追従先放送局が追従元放送局と同一放送内容、つまり同一ＰＩコードと判定されたのであれば、この追従先放送局の受信レベルが追従電界停止レベル以上であるか否かを判定する（ステップＳ３０７）。尚、追従電界停止レベルとは、放送局に対する良好な受信状態を充分に維持することができる受信レベルに相当するものである。
【００１５】
ステップＳ３０７にて追従先放送局の受信レベルが追従電界停止レベル以上であれば、この追従先放送局の受信周波数に対してチューニング動作を実行し（ステップＳ３０８）、この弱電界追従処理を終了する。
【００１６】
また、ステップＳ３０２にてＡＦリストがメモリ内に保持されていなければ、又はステップＳ３０３にて追従元放送局の受信レベルが追従電界開始レベル以下でなければ、この弱電界追従処理を終了する。
【００１７】
また、ステップＳ３０６にて追従先放送局が同一放送内容でなければ、又はステップＳ３０７にて追従先放送局の受信レベルが追従電界停止レベル以上でなければ、ステップＳ３０４に移行することにより、さらなる追従動作を実行するものである。
【００１８】
このように従来の弱電界追従処理によれば、現在受信中の放送局の受信レベルが低下したとしても、ユーザーは現在受信中の放送局と同一放送内容の良好な受信レベルの放送局を常に得ることができる。
【００１９】
また、強電界追従動作について図１９に基づき説明する。図１９は従来の多重放送受信装置における強電界追従処理の処理動作を示すフローチャートである。
【００２０】
この強電界追従処理とは、現在受信中の放送局（追従元放送局）の受信レベルに関係なく、ＡＦリストに基づく追従動作を実行し、この追従動作にて得られた放送局（追従先放送局）の受信レベルが追従元放送局の受信レベルよりも高い場合には、この追従先放送局の受信周波数に対してチューニング動作を実行する処理である。尚、この強電界追従処理は、所定時間毎に、断続的に行われる処理である。
【００２１】
図１９に示す強電界追従処理において、現在受信中の放送局（追従元放送局）の受信レベルを検出し（ステップＳ３１１）、この追従元放送局の受信レベル及び受信周波数をメモリに記憶し（ステップＳ３１２）、この追従元放送局に関わるＡＦリストがメモリ内に保持してあるか否かを判定する（ステップＳ３１３）。
【００２２】
このメモリ内にＡＦリストが保持してあるのであれば、このＡＦリストに基づいてＡＦ局を順次追従させ（ステップＳ３１４）、この追従先放送局の受信レベルを検出し（ステップＳ３１５）、この追従先放送局と追従元放送局とが同一放送内容であるか否かを判定する（ステップＳ３１６）。尚、この同一放送内容とは、これら追従先放送局及び追従元放送局の音声放送番組の放送内容が同一であることを示すものである。
【００２３】
この追従先放送局と追従元放送局とが同一放送内容であれば、この追従先放送局の受信レベルがメモリに記憶中の放送局の受信レベルよりも上か否かを判定する（ステップＳ３１７）。
【００２４】
この追従先放送局の受信レベルがメモリに記憶中の放送局の受信レベルよりも上であれば、この追従先放送局の受信周波数及び受信レベルをメモリに記憶更新し（ステップＳ３１８）、ＡＦリストによる全ＡＦ局の追従動作が終了したか否かを判定する（ステップＳ３１９）。
【００２５】
ＡＦリストに基づく全ＡＦ局の追従動作が終了したのであれば、現在メモリに記憶中の追従先放送局の受信周波数に対してチューニング動作を実行して（ステップＳ３２０）、この強電界追従処理を終了する。
【００２６】
ステップＳ３１３にてメモリ内にＡＦリストが保持されていなければ、この強電界追従処理を終了する。
【００２７】
また、ステップＳ３１６にて追従先放送局と追従元放送局とが同一放送内容でなければ、又はステップＳ３１７にて追従先放送局の受信レベルがメモリに記憶中の放送局の受信レベルよりも上でなければ、ステップＳ３１９に移行する。
【００２８】
また、ステップＳ３１９にてＡＦリストに基づく全ＡＦ局の追従動作が終了したのでなければ、ステップＳ３１４に移行することにより、さらなる追従動作を実行する。
【００２９】
従って、このような従来の強電界追従処理によれば、現在受信中の放送局の受信レベルに関係なく、同一放送内容を放送している複数の放送局の内、常に最高の受信レベルの放送局を受信することができる。
【００３０】
このような強電界追従処理及び弱電界追従処理を備えた多重放送受信装置にて受信する多重放送によれば、音声放送番組及び文字放送番組といった２種類の放送番組がある。
【００３１】
このような多重放送受信装置において、多重放送の内、現在受信中の放送局と同一の音声放送に対して追従動作を実行する場合には、図１８に示すステップＳ３０６及び図１９に示すステップＳ３１６にて説明したように、追従動作直前の放送局（追従元放送局）と追従動作後の放送局とのＰＩコードが一致していれば、同一音声放送番組を受信することができる。
【００３２】
しかしながら、この従来の多重放送受信装置によれば、追従元放送局と追従動作後の放送局とのＰＩコードが一致していたとしても、同一文字放送番組を受信することができるとは限らないために、追従元放送局と追従動作後の放送局との文字放送が異なって、データ用ＳＲＡＭに追従元放送局と追従動作後の放送局の文字放送に関わる文字放送多重データが混在してしまうといった事態が生じた。
【００３３】
そこで、このような事態を打開するために、従来の多重放送受信装置によれば、追従先放送局に対する追従動作を実行した後、前記データ用ＳＲＡＭに記憶保持中の追従元放送局の文字放送多重データを全て消去し、その後、追従動作後の放送局の文字放送多重データを新たに受信して、この文字放送多重データをデータ用ＳＲＡＭに記憶保持するようにした。
【００３４】
従って、従来の多重放送受信装置によれば、前記データ用ＳＲＡＭ内で追従元放送局の文字放送多重データと追従動作後の放送局の文字放送多重データとが混在してしまうといった不具合が発生するようなことはない。
【００３５】
【発明が解決しようとする課題】
しかしながら、上記従来の多重放送受信装置によれば、現在受信中の放送局と同一の音声放送番組を放送している放送局に対してはＰＩコードに基づいて追従動作を実行することができるのであるが、必ずしも同一の文字放送番組を放送している放送局に対して追従動作を実行することができるとは限らないといった第１の問題点があった。
【００３６】
さらに、この従来の多重放送受信装置によれば、上述したように、追従元放送局と追従動作後の放送局とのＰＩコードが同一であったとしても、追従元放送局と追従動作後の放送局とが同一文字放送番組であるとは限らず、例えば追従元放送局と追従動作後の放送局とが異なる文字放送番組であるにも関わらず、前記データ用ＳＲＡＭに記憶保持中の追従元放送局の文字放送多重データを全て消去して追従動作後の放送局の文字放送多重データをデータ用ＳＲＡＭに記憶保持してしまうので、ユーザーは追従元放送局における文字放送番組を見ることができなくなるといった第２の問題点があった。
【００３７】
また、上記従来の多重放送受信装置によれば、仮に同一の文字放送番組を放送している放送局に対して追従動作が実行できたとしても、追従元放送局と追従動作後の放送局との文字放送多重データが同一であるにも関わらず、データ用ＳＲＡＭに記憶保持中の追従元放送局の文字放送多重データを全て消去してしまい、新たに、この追従動作にて得られた放送局の文字放送多重データを受信して、この文字放送多重データをデータ用ＳＲＡＭに記憶しなければならず、無駄な動作が多いといった第３の問題点があった。
【００３８】
本発明は上記第１の問題点に鑑みてなされたものであり、その第１の目的とするところは、現在受信中の放送局と同一の文字放送番組を放送している放送局に対して確実に追従動作を実行する多重放送受信装置を提供することにある。
【００３９】
また、本発明は上記第２及び第３の問題点に鑑みてなされたものであり、その第２の目的とするところは、無駄な動作を行うことなく、この同一文字放送番組に関わる放送局の文字放送多重データをスムーズに得ることができる多重放送受信装置を提供することにある。
【００４０】
【課題を解決するための手段】
上記第１の目的を達成するために本発明における請求項１記載の多重放送受信装置は、放送局から到来する、放送番組及び、この放送番組に多重化された多重データを含む放送電波を受信する受信手段と、この放送電波から多重データを抽出するデータ抽出手段と、現在受信中の放送電波の受信レベルを検出する受信レベル検出手段と、前記多重データに含まれる代替周波数リストに基づいて追従動作を実行する追従動作実行手段と、この追従動作実行手段にて得られた放送電波の内、所定の受信レベルを有する放送電波を受信手段に受信させる制御手段とを有する多重放送受信装置であって、前記追従動作実行手段にて得られた放送電波が追従動作直前の放送電波の放送番組に含まれる音声放送番組及び文字放送番組と同一内容の放送電波であるか否かを判定し、前記追従動作実行手段にて得られた放送電波の代替周波数リストと、追従動作直前の放送電波の代替周波数リストとが同一であると、この追従動作実行手段にて得られた放送電波と追従動作直前の放送電波とが同一内容の放送電波であると判定する同一放送判定手段を有し、前記制御手段は、前記同一放送判定手段にて追従動作直前の放送電波と同一内容の放送電波であると判定された放送電波の内、所定の受信レベルを有する放送電波を受信手段に受信させることを特徴とする。
【００４１】
前記放送電波には、例えば音声放送番組の放送電波に文字放送番組のデータやサービスデータ等の多重データを多重化した、いわゆる「見えるラジオ放送」と呼ばれる放送電波に相当するものである。
【００４２】
前記多重データは、例えば文字放送番組に関わるデータ、代替周波数リストや番組識別コード等を有しており、前記代替周波数リストは、この代替周波数リストを送信する放送局と同一のネットワーク局の受信周波数をリスト化した周波数リスト（ＡＦリスト）に相当するものであり、前記番組識別コードは、現在放送中の音声放送番組を識別するコード（ＰＩコード）に相当するものである。
【００４３】
前記受信手段は、例えば受信アンテナ、チューナ部及びＰＬＬ回路等に相当するものである。
【００４４】
前記データ抽出手段は、例えば多重デスクランブルや多重デコーダ等に相当するものであり、放送電波に含まれる多重データを抽出し、この多重データをメモリに記憶保持するものである。
【００４５】
前記受信レベル検出手段は、例えばチューナ部に内蔵され、現在受信中の放送電波のＲＦ信号を直流電圧等のシグナルメータ電圧に変換することにより、現在受信中の放送電波の受信レベルを検出するものである。
【００４６】
前記追従動作実行手段は、現在受信中の放送電波の多重データに含まれる代替周波数リストに基づいて追従動作を実行するものであり、例えばチューナ部及びＰＬＬ回路等に相当するものである。
【００４７】
前記制御手段は、この多重放送受信装置全体を制御する、例えばシステムＣＰＵに相当するものである。
【００４８】
前記同一放送判定手段は、前記追従動作実行手段にて得られた放送電波が追従動作直前の放送電波の放送番組に含まれる音声放送番組及び文字放送番組と同一内容の放送電波であるか否かを比較判定するものであり、例えばシステムＣＰＵで行われるものとする。
【００４９】
従って、本発明における請求項１記載の多重放送受信装置によれば、追従動作実行手段にて得られた放送電波が追従動作直前の放送電波と同一内容の放送電波であると判定されると、これら判定された放送電波の内、所定の受信レベルを有する放送電波を受信手段に受信させるようにしたので、追従動作直前の放送電波と同一文字放送番組の放送電波に対して確実に追従動作を実行することができる。
【００５０】
また、前記代替周波数リストは、通常、一周波数毎に一つのリストが必要であり、放送局が自局で使用する周波数分について作成するものである。この代替周波数リストはまとめて送信所から送信されるものであるが、受信装置側では代替周波数リスト群の中から現在受信中の放送電波の代替周波数リストを抜き出して受信するものである。尚、この代替周波数リストは他の同一局の送信所からも同一のものが放送されているものである。
【００５１】
同一内容の放送電波に対して追従動作を実行した場合、追従動作直前の放送電波と追従動作後の放送電波とでは同一の代替周波数リストが存在しているので、代替周波数リストが同一の場合には同一内容の放送電波であると判断することができる。尚、当然、他局も代替周波数リストを他局の送信所から送信しているが、この代替周波数リストは、その送信所周辺の放送電波の受信周波数が書き込まれたものであり、仮に他局から同一周波数の代替周波数リストが送信されたとしても代替周波数リストが完全同一である可能性は限りなく低い。
【００５２】
従って、本発明における請求項１記載の多重放送受信装置によれば、追従動作直前の放送電波と追従動作後の放送電波との代替周波数リストが同一の場合には追従動作直前の放送電波と追従動作後の放送電波が同一内容であると判定するようにしたので、追従動作直前の放送電波を同一文字放送番組の放送電波に対して確実に追従動作を実行することができる。
【００５３】
また、上記第２の目的を達成するために本発明における請求項２記載の多重放送受信装置は、上記請求項１記載の多重放送受信装置の構成に加えて、前記受信手段にて受信中の放送電波に含まれる多重データの文字放送番組に関わる文字放送多重データを順次記憶する記憶手段を有し、前記制御手段は、前記同一放送判定手段にて追従動作直前の放送電波と同一内容の放送電波であると判定された放送電波の内、所定の受信レベルを有する放送電波を受信手段に受信させると共に、前記追従動作直前に記憶された文字放送多重データを記憶保持することを特徴とする。
【００５４】
前記記憶手段は、現在受信中の放送電波の多重データに含まれる文字放送番組に関わる文字放送多重データを順次に記憶する、例えばデータ用ＳＲＡＭに相当するものである。
【００５５】
従って、本発明における請求項２記載の多重放送受信装置によれば、上記請求項１記載の多重放送受信装置の効果に加えて、追従動作実行手段にて得られた放送電波が追従動作直前の放送電波と同一内容の放送電波であると判定されると、これら判定された放送電波の内、所定の受信レベルを有する放送電波を受信手段に受信させると共に、この追従動作直前に記憶された文字放送多重データをそのまま記憶保持するようにした、つまり、追従動作直前の放送電波の番組内容と追従動作後の放送電波の番組内容とが同一内容であるので、記憶手段に記憶保持中の追従動作直前の文字放送多重データを全て消去したり、新たに追従動作後の放送電波の文字放送多重データを受信して、この文字放送多重データを記憶手段に記憶するといった無駄な動作を行うことなく、この同一文字放送番組に関わる放送局の文字放送多重データをスムーズに得ることができる。
【００５７】
また、本発明における請求項３記載の多重放送受信装置は、上記請求項１又は２記載の多重放送受信装置の構成に加えて、前記同一放送判定手段の動作を開始する操作手段を有し、前記制御手段は、操作手段からの入力に応じて、前記同一放送判定手段の起動を開始することを特徴とする。
【００５９】
従って、本発明における請求項３記載の多重放送受信装置によれば、上記請求項１又は２記載の効果に加えて、操作手段からの入力に応じて同一放送判定手段の起動を開始するようにしたので、ユーザーの好みに応じて同一放送内容の放送電波に対する追従動作を実行するか否かを選択することができる。
【００６０】
また、本発明における請求項４記載の多重放送受信装置は、上記請求項１又は２記載の多重放送受信装置の構成に加えて、前記制御手段は、前記同一放送判定手段にて追従動作直前の放送電波と同一内容の放送電波であると判定されなければ、他の追従条件に基づいて前記追従動作実行手段による追従動作を実行することを特徴とする。
【００６２】
本発明における請求項５記載の多重放送受信装置は、上記請求項３記載の多重放送受信装置の構成に加えて、前記制御手段は、前記同一放送判定手段にて追従動作直前の放送電波と同一内容の放送電波であると判定されなければ、他の追従条件に基づいて前記追従動作実行手段による追従動作を実行することを特徴とする。
【００６３】
前記他の追従条件とは、前記同一放送判定手段による追従動作直前の放送電波の放送内容と追従動作後の放送電波の放送内容とが同一であるか否かといった追従条件以外の、例えば追従動作直前の放送電波の番組識別コードと追従動作後の放送電波の番組識別コードとが同一であるか否かといった追従条件に相当するものである。
【００６４】
従って、本発明における請求項４又は５記載の多重放送受信装置によれば、上記請求項１、２又は３記載の多重放送受信装置の効果に加えて、同一放送判定手段にて追従動作直前の放送電波と追従動作後の放送電波とが同一内容でないと判定されたのであれば、他の追従条件に基づいて追従動作を実行するようにしたので、バリエーションに富んだ追従動作を実現することができる。
【００６５】
また、本発明における請求項６記載の多重放送受信装置は、上記請求項１、２、４又は５記載の多重放送受信装置の構成に加えて、前記追従動作実行手段にて得られた放送電波が、追従動作直前の放送電波の多重データに含まれる番組識別コードと同一の番組識別コードを含む放送電波であるか否かを判定する同一番組コード判定手段を有し、前記制御手段は、前記同一放送判定手段にて追従動作直前の放送電波と同一内容の放送電波でなければ、前記同一番組コード判定手段にて追従動作直前の放送電波と同一の番組識別コードを含む放送電波であると判定された放送電波の内、所定の受信レベルを有する放送電波を受信手段に受信させることを特徴とする。
【００６７】
本発明における請求項７記載の多重放送受信装置は、上記請求項３記載の多重放送受信装置の構成に加えて、前記追従動作実行手段にて得られた放送電波が、追従動作直前の放送電波の多重データに含まれる番組識別コードと同一の番組識別コードを含む放送電波であるか否かを判定する同一番組コード判定手段を有し、前記制御手段は、前記同一放送判定手段にて追従動作直前の放送電波と同一内容の放送電波でなければ、前記同一番組コード判定手段にて追従動作直前の放送電波と同一の番組識別コードを含む放送電波であると判定された放送電波の内、所定の受信レベルを有する放送電波を受信手段に受信させることを特徴とする。
【００６８】
本発明における請求項８記載の多重放送受信装置は、上記請求項４記載の多重放送受信装置の構成に加えて、前記追従動作実行手段にて得られた放送電波が、追従動作直前の放送電波の多重データに含まれる番組識別コードと同一の番組識別コードを含む放送電波であるか否かを判定する同一番組コード判定手段を有し、前記制御手段は、前記同一放送判定手段にて追従動作直前の放送電波と同一内容の放送電波でなければ、前記同一番組コード判定手段にて追従動作直前の放送電波と同一の番組識別コードを含む放送電波であると判定された放送電波の内、所定の受信レベルを有する放送電波を受信手段に受信させることを特徴とする。
【００６９】
前記同一番組コード判定手段とは、追従動作実行手段にて得られた放送電波が、追従動作直前の放送電波の多重データに含まれる番組識別コードと同一の番組識別コードを含む放送電波であるか否かを比較判定するものであり、例えばシステムＣＰＵにて行われるものとする。
【００７０】
従って、本発明における請求項６、７又は８記載の多重放送受信装置によれば、上記請求項１、２、３、４又は５記載の多重放送受信装置の効果に加えて、同一放送判定手段にて追従動作直前の放送電波と同一内容の放送電波でなければ、前記同一番組コード判定手段にて追従動作直前の放送電波と同一の番組識別コードを含む放送電波であると判定された放送電波の内、所定の受信レベルを有する放送電波を受信手段に受信させるようにしたので、同一内容の放送電波、同一番組識別コードの放送電波といった優先順位の追従条件で各放送電波を受信することができる。
【００７１】
また、本発明における請求項９記載の多重放送受信装置は、上記請求項６記載の多重放送受信装置の構成に加えて、前記追従動作実行手段にて得られた放送電波が、追従動作直前の放送電波の多重データに含まれる地域コードと同一の地域コードを含む放送電波であるか否かを判定する同一地域コード判定手段を有し、前記制御手段は、前記同一放送判定手段にて追従動作直前の放送電波と同一内容の放送電波でなく、前記同一番組コード判定手段にて追従動作直前の放送電波と同一の番組識別コードの放送電波でなければ、前記同一地域コード判定手段にて追従動作直前の放送電波と同一の地域コードを含む放送電波であると判定された放送電波の内、所定の受信レベルを有する放送電波を受信手段に受信させることを特徴とする。
【００７２】
本発明における請求項１０記載の多重放送受信装置は、上記請求項７又は８記載の多重放送受信装置の構成に加えて、前記追従動作実行手段にて得られた放送電波が、追従動作直前の放送電波の多重データに含まれる地域コードと同一の地域コードを含む放送電波であるか否かを判定する同一地域コード判定手段を有し、前記制御手段は、前記同一放送判定手段にて追従動作直前の放送電波と同一内容の放送電波でなく、前記同一番組コード判定手段にて追従動作直前の放送電波と同一の番組識別コードの放送電波でなければ、前記同一地域コード判定手段にて追従動作直前の放送電波と同一の地域コードを含む放送電波であると判定された放送電波の内、所定の受信レベルを有する放送電波を受信手段に受信させることを特徴とする。
【００７３】
前記同一地域コード判定手段は、前記追従動作実行手段にて得られた放送電波が追従動作直前の放送電波の多重データに含まれる地域コードと同一の地域コードを含む放送電波であるか否かを比較判定する、例えばシステムＣＰＵにて行われるものとする。
【００７４】
尚、この地域コードは、前記番組識別コードに含まれる地域のコードに相当するものである。
【００７５】
従って、本発明における請求項９又は１０記載の多重放送受信装置によれば、上記請求項６、７又は８記載の多重放送受信装置の効果に加えて、前記同一放送判定手段にて追従動作直前の放送電波と同一内容の放送電波でなく、前記同一番組コード判定手段にて追従動作直前の放送電波と同一の番組識別コードの放送電波でなければ、前記同一地域コード判定手段にて追従動作直前の放送電波と同一の地域コードを含む放送電波であると判定された放送電波の内、所定の受信レベルを有する放送電波を受信手段に受信させるようにしたので、同一内容の放送電波、同一番組識別コードの放送電波、同一地域コードの放送電波といった優先順位の追従条件で各放送電波を受信することができる。
【００７６】
また、本発明における請求項１１記載の多重放送受信装置は、上記請求項９記載の多重放送受信装置の構成に加えて、前記追従動作実行手段にて得られた放送電波が、追従動作直前の放送電波の多重データに含まれるネットワークコードと同一のネットワークコードを含む放送電波であるか否かを判定する同一ネットワークコード判定手段を有し、前記制御手段は、前記同一ネットワークコード判定手段にて追従動作直前の放送電波と同一内容の放送電波でなく、前記同一番組コード判定手段にて追従動作直前の放送電波と同一の番組識別コードの放送電波でなく、前記同一地域コード判定手段にて追従動作直前の放送電波と同一の地域コードの放送電波でなければ、前記同一ネットワークコード判定手段にて追従動作直前の放送電波と同一のネットワークコードを含む放送電波であると判定された放送電波の内、所定の受信レベルを有する放送電波を受信手段に受信させることを特徴とする。
【００７７】
本発明における請求項１２記載の多重放送受信装置は、上記請求項１０記載の多重放送受信装置の構成に加えて、前記追従動作実行手段にて得られた放送電波が、追従動作直前の放送電波の多重データに含まれるネットワークコードと同一のネットワークコードを含む放送電波であるか否かを判定する同一ネットワークコード判定手段を有し、前記制御手段は、前記同一ネットワークコード判定手段にて追従動作直前の放送電波と同一内容の放送電波でなく、前記同一番組コード判定手段にて追従動作直前の放送電波と同一の番組識別コードの放送電波でなく、前記同一地域コード判定手段にて追従動作直前の放送電波と同一の地域コードの放送電波でなければ、前記同一ネットワークコード判定手段にて追従動作直前の放送電波と同一のネットワークコードを含む放送電波であると判定された放送電波の内、所定の受信レベルを有する放送電波を受信手段に受信させることを特徴とする。
【００７８】
前記同一ネットワークコード判定手段は、前記追従動作実行手段にて得られた放送電波が追従動作直前の放送電波の多重データに含まれるネットワークコードと同一のネットワークコードを含む放送電波であるか否かを比較判定する、例えばシステムＣＰＵにて行われるものである。
【００７９】
前記ネットワークコードは、前記番組識別コードに含まれる系列局のコードに相当するものである。
【００８０】
従って、本発明における請求項１１又は１２記載の多重放送受信装置によれば、上記請求項９又は１０記載の多重放送受信装置の効果に加えて、前記同一ネットワークコード判定手段にて追従動作直前の放送電波と同一内容の放送電波でなく、前記同一番組コード判定手段にて追従動作直前の放送電波と同一の番組識別コードの放送電波でなく、前記同一地域コード判定手段にて追従動作直前の放送電波と同一の地域コードの放送電波でなければ、前記同一ネットワークコード判定手段にて追従動作直前の放送電波と同一のネットワークコードを含む放送電波であると判定された放送電波の内、所定の受信レベルを有する放送電波を受信手段に受信させるようにしたので、同一内容の放送電波、同一番組識別コードの放送電波、同一地域コードの放送電波、同一ネットワークコードの放送電波といった優先順位の追従条件で各放送電波を受信することができる。
【００８１】
【発明の実施の形態】
以下、図面に基づいて本発明の多重放送受信装置の実施の形態を示すＦＭ多重受信装置について説明する。図１は本発明の実施の形態に示すＦＭ多重受信装置内部の概略構成を示すブロック図である。
【００８２】
図１においてＦＭ多重受信装置１０は、図示せぬＦＭ放送局から到来する、音声放送番組と、この音声放送番組に多重化され、文字放送多重データ、代替周波数リスト（ＡＦリスト）及び特殊多重データ等を含む多重データとを有する多重放送電波を受信する二つの受信アンテナ１１と、これら受信アンテナ１１からの放送信号を分配するアンテナ分配部１２と、ＰＬＬ回路１３から出力される電圧に基づいて放送局の放送電波と同調して放送信号を得ると共に、この放送信号から音声放送番組の音声信号を得るチューナ部１４と、このチューナ部１４から得られた放送信号をデスクランブルして多重データを得る多重デスクランブル１５と、この多重デスクランブル１５から得られた多重データをデコードする多重デコーダ１６と、この多重データに含まれる文字放送多重データや特殊多重データを記憶するデータ用ＳＲＡＭ１７と、文字や記号等のデータを記憶したフォント用ＲＯＭ１８と、様々なデータを画面表示するＬＣＤ表示部１９と、様々な指令を入力するキー部２０と、様々な警報等を通知する報知音を音声出力するブザー部２１と、様々な警報等を通知するために点灯表示するインジケータ表示部（ＬＥＤ）２２と、これらＬＣＤ表示部１９、キー部２０、ブザー部２１及びインジケータ表示部２２を制御する表示用ＣＰＵ２３と、これらシステム全体を制御するシステムＣＰＵ２４とを有している。
【００８３】
前記ＦＭ多重受信装置１０は、前記多重デコーダ１６にてデコードされた現在受信中の放送局のＡＦリストやＰＩコードを記憶する保持メモリ２５と、現在受信中の放送局の受信周波数及び受信レベルを記憶する受信メモリ２６と、後述する追従動作にて追従された追従先放送局の受信周波数及び受信レベルを記憶する追従先候補メモリ２７と、後述する追従モードを記憶する追従モードメモリ２８とを有している。尚、この追従モードとは、例えば同一局追従モード、同一ＰＩ局追従モード、同一エリア局追従モードや同一ネットワーク局追従モードといった現在設定中の追従モードを記憶するものである。
【００８４】
また、前記チューナ部１４は、現在受信中の放送信号から得られるシグナルメータ電圧に基づいて現在受信中の放送局の受信レベルを検出する受信レベル検出手段である受信レベル検出部を有している。
【００８５】
前記多重データには、例えば一般文字放送に関わる文字放送多重データと、同一ネットワーク局の受信周波数をリスト化したＡＦリストと、同一の音声放送番組を放送局であることを示すＰＩコードと、特殊多重データとしての交通情報であるＶＩＣＳデータとが含まれている。
【００８６】
前記ＶＩＣＳデータとは、このＶＩＣＳデータを送信する放送局の周辺地域に関わる渋滞情報等の交通情報である。
【００８７】
前記システムＣＰＵ２４は、前記多重デコーダ１６にてデコードされた文字放送多重データや特殊多重データをデータ用ＳＲＡＭ１７に記憶保持し、このデータ用ＳＲＡＭ１７に記憶保持中の文字放送多重データやＶＩＣＳデータに基づいて、前記ＬＣＤ表示部１９に文字放送番組や交通情報を画面表示させるものである。例えば一般の文字放送番組を受信中の場合に、文字放送番組をＬＣＤ表示部１９に画面表示するものであり、ＶＩＣＳ放送番組を受信中の場合に、この放送局の周辺地域に関わる交通情報をＬＣＤ表示部１９に画面表示するものである。
【００８８】
また、このＦＭ多重受信装置１０においては、前記キー部２０にあるモード選択キー２０ａのキー操作に応じて前述した各追従モードを設定することができるものである。
【００８９】
システムＣＰＵ２４は、前記保持メモリ２５に記憶中のＡＦリストに基づいてＰＬＬ回路１３やチューナ部１４等を電圧制御することにより、現在設定中の追従モードに基づいて自動追従動作を実行するものである。
【００９０】
尚、請求項に記載の受信手段は、前記受信アンテナ１１、ＰＬＬ回路１３及びチューナ部１４に相当し、追従動作実行手段は、ＰＬＬ回路１３及びチューナ部１４に相当し、データ抽出手段は、前記多重デスクランブル１５及び多重デコーダ１６に相当し、記憶手段はデータ用ＳＲＡＭ１７に相当し、操作手段はキー部２０に相当し、前記制御手段、同一放送判定手段、同一番組コード判定手段、同一地域コード判定手段、同一ネットワークコード判定手段は前記システムＣＰＵ２４に相当するものである。
【００９１】
では、次に本実施の形態に示すＦＭ多重受信装置１０の動作について説明する。図２は本実施の形態に示すＦＭ多重受信装置１０の優先追従処理におけるシステムＣＰＵ２４の処理動作を示すフローチャートである。
【００９２】
この優先追従処理とは、後述する同一局追従モード、同一ＰＩ局追従モード、同一エリア局追従モード又は同一ネット局追従モードの内のいずれかに設定された追従モードに基づいて追従動作を実行する処理である。
【００９３】
図２においてシステムＣＰＵ２４は、現在受信中の放送局のＰＩコードを取得したか否かを判定する（ステップＳ１１）。現在受信中の放送局のＰＩコードを取得したのであれば、このＰＩコードを保持メモリ２５に記憶し（ステップＳ１２）、さらに現在受信中の放送局のＡＦリストを取得したか否かを判定する（ステップＳ１３）。
【００９４】
現在受信中の放送局のＡＦリストを取得したのであれば、このＡＦリストを保持メモリ２５に記憶し（ステップＳ１４）、追従先候補メモリ２７のメモリ内容をクリアにし（ステップＳ１５）、この追従動作を許可して（ステップＳ１６）、追従動作を許可する追従ＯＫモードが設定中であるか否かを判定する（ステップＳ１７）。
【００９５】
追従ＯＫモードが設定中であれば、現在受信中の放送局の受信レベルが追従動作開始レベル以下であるか否かを判定する（ステップＳ１８）。尚、この追従動作開始レベルとは、この追従動作を開始するレベル値に相当するものである。
【００９６】
現在受信中の放送局の受信レベルが追従動作開始レベル以下であれば、現在受信中の放送局の受信周波数及び受信レベルを前記受信メモリ２６に記憶し（ステップＳ１９）、前記モード選択キー２０ａにて選択設定された現在の追従モードが同一局追従モードであるか否かを判定する（ステップＳ２０）。尚、この同一局追従モードとは、後述するように、ＡＦリストが完全に一致する放送局、すなわち同一局を追従対象とする追従モードである。
【００９７】
現在の追従モードが同一局追従モードであれば、図３に示す同一局追従モード処理に移行し（ステップＳ２１）、この同一局追従モード処理終了後に、この優先追従処理の処理動作を終了する。
【００９８】
また、ステップＳ２０にて現在の追従モードが同一局追従モードでなければ、現在の追従モードが同一ＰＩ局追従モードであるか否かを判定する（ステップＳ２２）。尚、この同一ＰＩ局追従モードとは、後述するように、前記同一局と、ＰＩコードが完全に一致する放送局、すなわち同一ＰＩ局とを追従対象とする追従モードである。
【００９９】
現在の追従モードが同一ＰＩ局追従モードであれば、図６に示す同一ＰＩ局追従モード処理に移行し（ステップＳ２３）、この同一ＰＩ局追従モード処理終了後に、この優先追従処理の処理動作を終了する。
【０１００】
また、ステップＳ２２にて現在の追従モードが同一ＰＩ局追従モードでなければ、現在の追従モードが同一エリア局追従モードであるか否かを判定する（ステップＳ２４）。尚、この同一エリア局追従モードとは、後述するように、前記同一局と、同一ＰＩ局と、エリアコードが完全一致する放送局、すなわち同一エリア局とを追従対象とする追従モードである。
【０１０１】
現在の追従モードが同一エリア局追従モードであれば、図９に示す同一エリア局追従モードに移行し（ステップＳ２５）、この同一エリア局追従モード処理終了後に、この優先追従処理の処理動作を終了する。
【０１０２】
また、ステップＳ２４にて現在の追従モードが同一エリア局追従モードでなければ、現在の追従モードが同一ネット局追従モードであると判断し、図１３に示す同一ネット局追従モード処理に移行し（ステップＳ２６）、この同一ネット局追従モード処理終了後に、この優先追従処理の処理動作を終了する。尚、この同一ネット局追従モードとは、後述するように、前記同一局と、同一ＰＩ局と、同一エリア局と、ネットワークコードが完全一致する放送局、すなわち同一ネット局を追従対象とする追従モードである。
【０１０３】
また、ステップＳ１１にて現在受信中の放送局からＰＩコードが取得されたのでなければ、又はステップＳ１３にて現在受信中の放送局からＡＦリストが取得されたのでなければ、又はステップＳ１７にて追従ＯＫモードでなければ、又はステップＳ１８にて現在受信中の放送局の受信レベルが追従動作開始レベル以下でなければ、この優先追従処理の処理動作を終了する。
【０１０４】
では、次にステップＳ２１の同一局追従モード処理について説明する。図３、図４及び図５は本実施の形態に示すＦＭ多重受信装置１０の同一局追従モード処理におけるシステムＣＰＵ２４の処理動作を示すフローチャートである。
【０１０５】
この同一局追従モード処理とは、現在受信中の放送局と同一の音声放送番組及び文字放送番組を放送している同一局を追従対象とし、この追従動作にて得られた同一局の内、最高の受信レベルを有する同一局に対してチューニング動作を実行する処理である。
【０１０６】
図３においてシステムＣＰＵ２４は、前記保持メモリ２５に記憶中のＡＦリストに基づいて追従先放送局の検索動作を実行し（ステップＳ３１）、追従先候補の放送局があるか否かを判定する（ステップＳ３２）。追従先候補があれば、この追従先候補の放送局である追従先放送局のＰＩコード取得を監視する第１タイマをセットし（ステップＳ３３）、この追従先候補への追従動作を実行し（ステップＳ３４）、この追従動作にて得られた追従先放送局のＰＩコードが取得されたか否かを判定する（ステップＳ３５）。
【０１０７】
この追従先放送局のＰＩコードが取得されたのであれば、第１タイマをリセットし（ステップＳ３６）、追従動作直前の放送局（以下、単に追従元放送局と称する）と追従先放送局とのＰＩコードが完全一致しているか否かを判定する（ステップＳ３７）。尚、ＰＩコードが完全一致しているか否かの判断は、ＰＩコードに含まれるエリアコード及びネットワークコードが完全一致しているか否かで判断するものである。
【０１０８】
ステップＳ３７にて追従元放送局と追従先放送局とのＰＩコードが完全一致しているのであれば、図４に示すＭ１に移行する。
【０１０９】
また、ステップＳ３５にて追従先放送局のＰＩコードが取得されたのでなければ、ステップＳ３３にてセットされた第１タイマがタイムアップしたか否かを判定する（ステップＳ３８）。第１タイマがタイムアップしたのでなければ、ＰＩコード取得動作を継続するステップＳ３５に移行する。
【０１１０】
また、ステップＳ３８にて第１タイマがタイムアップしたのであれば、又はステップＳ３７にて追従元放送局と追従先放送局とのＰＩコードが完全一致していなければ、図４に示すＭ２に移行する。
【０１１１】
また、ステップＳ３２にてＡＦリスト内に追従先候補の放送局がなければ、この同一局追従モード処理の処理動作を終了する。
【０１１２】
図４に示すＭ１においてシステムＣＰＵ２４は、追従先放送局のＡＦリスト取得を監視する第２タイマをセットし（ステップＳ４１）、追従先放送局のＡＦリストが取得されたか否かを判定する（ステップＳ４２）。
【０１１３】
追従先放送局のＡＦリストが取得されたのであれば、ステップＳ４１にてセットされた第２タイマをリセットし（ステップＳ４３）、追従元放送局と追従先放送局とのＡＦリストが完全一致しているか否かを判定する（ステップＳ４４）。尚、このＡＦリストが完全一致していれば、同一の音声放送番組及び文字放送番組を放送している放送局、すなわち同一局と判断することができるものである。
【０１１４】
ステップＳ４４にて追従元放送局と追従先放送局とのＡＦリストが完全一致しているのであれば、この追従先放送局を同一局と判断し、前記追従先候補メモリ２７内に記憶中の放送局があるか否かを判定する（ステップＳ４５）。尚、この追従先候補メモリ２７は、後述するが、追従先放送局の受信レベル及び受信周波数を記憶更新するものである。
【０１１５】
前記追従先候補メモリ２７内に記憶中の放送局があれば、現在受信中の追従先放送局の受信レベルが前記追従先候補メモリ２７内の放送局の受信レベルよりも良好であるか否かを判定する（ステップＳ４６）。
【０１１６】
現在受信中の追従先放送局の受信レベルが追従先候補メモリ２７に記憶中の放送局の受信レベルよりも良好であれば、現在受信中の追従先放送局の受信レベル及び受信周波数を追従先候補メモリ２７に記憶更新し（ステップＳ４７）、ＡＦリストに基づく全追従先候補に対する追従動作が終了したか否かを判定する（ステップＳ４８）。このＡＦリストに基づいて全追従先候補に対する追従動作が終了したのであれば、図５に示すＭ３に移行する。
【０１１７】
また、ステップＳ４２にて現在受信中の追従先放送局のＡＦリストが取得されたのでなければ、ステップＳ４１にてセットされた第２タイマがタイムアップしたか否かを判定する（ステップＳ４９）。この第２タイマがタイムアップしたのでなければ、追従先放送局のＡＦリスト取得動作を継続するためにステップＳ４２に移行する。
【０１１８】
また、ステップＳ４４にて追従元放送局と追従先放送局とのＡＦリストが完全一致したのでなければ、又はステップＳ４６にて現在受信中の追従先放送局が追従先候補メモリ２７に記憶中の追従先放送局の受信レベルよりも良好でなければ、ステップＳ４８に移行する。
【０１１９】
また、ステップＳ４５にて追従先候補メモリ２７に記憶中の放送局がなければ、現在受信中の追従先放送局の受信周波数及び受信レベルを記憶更新するステップＳ４７に移行する。
【０１２０】
また、ステップＳ４８にてＡＦリストに基づく全追従先候補に対する追従動作が終了したのでなければ、さらなる追従動作を実行するために図３に示すＭ４に移行する。
【０１２１】
図５に示すＭ３においてシステムＣＰＵ２４は、前記追従先候補メモリ２７内に記憶中の放送局があるか否かを判定する（ステップＳ５１）。この追従先候補メモリ２７内に記憶中の放送局があれば、この追従先候補メモリ２７に記憶中の追従先放送局の受信周波数に基づいてチューニング動作を実行し（ステップＳ５２）、このチューニングされた追従先放送局の受信周波数を受信メモリ２６に記憶更新し（ステップＳ５３）、現在受信中の放送局が追従元放送局と同一局であるので、前記追従元放送局にて得られた、データ用ＳＲＡＭ１７に記憶中の文字放送多重データをそのまま保持し（ステップＳ５４）、この同一局追従モード処理の処理動作を終了する。
【０１２２】
また、ステップＳ５１にて追従先候補メモリ２７に記憶中の放送局がなければ、この同一局追従モード処理の処理動作を終了する。
【０１２３】
従って、このような同一局追従モード処理によれば、追従動作中に追従元放送局と追従先放送局とのＡＦリストが完全一致すると、追従元放送局と追従先放送局とを同一局と判断し、さらに、この同一局と判断された追従先放送局の内から最高の受信レベルを有する追従先放送局に対してチューニング動作を実行するようにしたので、ユーザーは追従元放送局と同一の音声放送番組及び文字放送番組を放送している、受信レベルの良好な同一局を確実に受信することができる。
【０１２４】
また、このような同一局追従モード処理によれば、この追従動作にて得られた同一局へのチューニング動作を実行すると、このチューニング動作にて受信中の放送局と追従元放送局との文字放送番組は全く同一であるために、前記データ用ＳＲＡＭ１７に記憶中の追従元放送局の文字放送多重データをそのまま保持するようにしたので、ユーザーは追従動作直後であっても同一の文字放送番組を見ることができる。
【０１２５】
では、次にステップＳ２３の同一ＰＩ局追従モード処理について説明する。図６、図７及び図８は本実施の形態に示すＦＭ多重受信装置１０の同一ＰＩ局追従モード処理におけるシステムＣＰＵ２４の処理動作を示すフローチャートである。
【０１２６】
この同一ＰＩ局追従モード処理とは、その追従対象を、現在受信中の放送局とＡＦリストが完全一致する同一局と、現在受信中の放送局とＰＩコードが完全一致する同一ＰＩ局とし、同一局、同一ＰＩ局といった順に優先順位を設定し、この優先順位に基づいて追従動作を実行する処理である。
【０１２７】
図６においてシステムＣＰＵ２４は、現在受信中の放送局のＡＦリストに基づいて追従先放送局の検索動作を実行し（ステップＳ６１）、追従先候補の放送局があるか否かを判定する（ステップＳ６２）。追従先候補の放送局があれば、この追従先候補の放送局である追従先放送局のＰＩコード取得を監視する第１タイマをセットし（ステップＳ６３）、この追従先候補への追従動作を実行し（ステップＳ６４）、この追従動作にて得られた追従先放送局のＰＩコードが取得されたか否かを判定する（ステップＳ６５）。
【０１２８】
この追従先放送局のＰＩコードが取得されたのであれば、第１タイマをリセットし（ステップＳ６６）、追従元放送局と追従先放送局とのＰＩコードが完全一致しているか否かを判定する（ステップＳ６７）。尚、ＰＩコードが完全一致しているか否かの判断は、ＰＩコードに含まれるエリアコード及びネットワークコードが完全一致しているか否かで判断するものである。
【０１２９】
ステップＳ６７にて追従元放送局と追従先放送局とのＰＩコードが完全一致しているのであれば、図７に示すＭ５に移行する。
【０１３０】
また、ステップＳ６５にて追従先放送局のＰＩコードが取得されたのでなければ、ステップＳ６３にてセットされた第１タイマがタイムアップしたか否かを判定する（ステップＳ６８）。第１タイマがタイムアップしたのでなければ、ＰＩコード取得動作を継続するステップＳ６５に移行する。
【０１３１】
また、ステップＳ６８にて第１タイマがタイムアップしたのであれば、又はステップＳ６７にて追従元放送局と追従先放送局とのＰＩコードが完全一致していなければ、図７に示すＭ６に移行する。
【０１３２】
また、ステップＳ６２にてＡＦリスト内に追従先候補の放送局がなければ、この同一ＰＩ局追従モード処理の処理動作を終了する。
【０１３３】
図７に示すＭ５においてシステムＣＰＵ２４は、追従先放送局のＡＦリスト取得を監視する第２タイマをセットし（ステップＳ７１）、追従先放送局のＡＦリストが取得されたか否かを判定する（ステップＳ７２）。
【０１３４】
追従先放送局のＡＦリストが取得されたのであれば、ステップＳ７１にてセットされた第２タイマをリセットし（ステップＳ７３）、追従元放送局と追従先放送局とのＡＦリストが完全一致しているか否かを判定する（ステップＳ７４）。尚、このＡＦリストが完全一致していれば、同一の音声放送番組及び文字放送番組を放送している同一局と判断することができるものである。
【０１３５】
ステップＳ７４にて追従元放送局と追従先放送局とのＡＦリストが完全一致しているのであれば、この追従先放送局を同一局と判断し（ステップＳ７５）、前記追従先候補メモリ２７内に記憶中の放送局があるか否かを判定する（ステップＳ７６）。
【０１３６】
この追従先候補メモリ２７内に記憶中の放送局があれば、この追従先候補メモリ２７に記憶中の放送局が同一局であるか否かを判定する（ステップＳ７７）。この追従先候補メモリ２７に記憶中の放送局が同一局であれば、前記追従動作にて得られた現在受信中の追従先放送局が同一局であるか否かを判定する（ステップＳ７８）。
【０１３７】
この現在受信中の追従先放送局が同一局であれば、現在受信中の追従先放送局の受信レベルが前記追従先候補メモリ２７に記憶中の放送局の受信レベルよりも良好であるか否かを判定する（ステップＳ７９）。現在受信中の追従先放送局が追従先候補メモリ２７に記憶中の放送局の受信レベルよりも良好であれば、この現在受信中の追従先放送局の受信周波数及び受信レベルを前記追従先候補メモリ２７に記憶更新し（ステップＳ８０）、図８に示すＭ６に移行する。
【０１３８】
また、ステップＳ７２にて追従先放送局のＡＦリストが取得されたのでなければ、ステップＳ７１にてセットされたタイマがタイムアップしたか否かを判定する（ステップＳ８１）。この第２タイマがタイムアップしたのでなければ、引き続き追従先放送局のＡＦリスト取得動作を継続するステップＳ７２に移行する。
【０１３９】
また、ステップＳ８１にて第２タイマがタイムアップしたのであれば、又はステップＳ７４にて追従元放送局と追従先放送局とのＡＦリストが完全一致しているのでなければ、現在受信中の追従先放送局が同一ＰＩ局であると判断し（ステップＳ８２）、ステップＳ７６に移行する。
【０１４０】
また、ステップＳ７７にて追従先候補メモリ２７に記憶中の放送局が同一局でなければ、前記追従動作にて得られた現在受信中の追従先放送局が同一ＰＩ局であるか否かを判定する（ステップＳ８３）。この現在受信中の追従先放送局が同一ＰＩ局であれば、ステップＳ７９に移行する。
【０１４１】
また、ステップＳ８３にて現受信中の追従先放送局が同一ＰＩ局でなければ、ステップＳ８０に移行する。
【０１４２】
また、ステップＳ７８にて追従動作にて得られた現在受信中の追従先放送局が同一局でなければ、ステップＳ８０に移行する。
【０１４３】
また、ステップＳ７９にて追従動作にて得られた現在受信中の追従先放送局の受信レベルが追従先候補メモリ２７に記憶中の放送局の受信レベルよりも良好でなければ、図８に示すＭ６に移行する。
【０１４４】
図８に示すＭ６においてシステムＣＰＵ２４は、図６に示すステップＳ６１のＡＦリストに基づく全追従先候補に対する追従動作が終了したか否かを判定する（ステップＳ９１）。全追従先候補に対する追従動作が終了したのであれば、この追従先候補メモリ２７に記憶中の放送局があるか否かを判定する（ステップＳ９２）。
【０１４５】
この追従先候補メモリ２７に記憶中の放送局があれば、この追従先候補メモリ２７に記憶中の放送局が同一局であるか否かを判定する（ステップＳ９３）。
【０１４６】
この追従先候補メモリ２７に記憶中の放送局が同一局でなければ、同一ＰＩ局と判断して、この追従先候補メモリ２７に記憶中の放送局の受信周波数に基づいてチューニング動作を実行し（ステップＳ９４）、このチューニング動作にて受信された放送局の受信周波数を前記受信メモリ２６に記憶更新し（ステップＳ９５）、前記データ用ＳＲＡＭ１７に記憶中の追従元放送局の文字放送多重データを消去し（ステップＳ９６）、現在受信中の放送局から文字放送多重データを抽出して、この文字放送多重データを前記データ用ＳＲＡＭ１７に記憶し（ステップＳ９７）、この同一ＰＩ局追従モード処理の処理動作を終了する。
【０１４７】
また、ステップＳ９１にてＡＦリストに基づく全追従先候補への追従動作が終了したのでなければ、残りの追従先候補に対する追従動作を実行するために図６に示すＭ７に移行する。
【０１４８】
また、ステップＳ９２にて追従先候補メモリ２７に記憶中の放送局がなければ、この同一ＰＩ局追従モード処理の処理動作を終了する。
【０１４９】
また、ステップＳ９３にて追従先候補メモリ２７に記憶中の放送局が同一局であれば、この追従先候補メモリ２７に記憶中の放送局の受信周波数に基づいてチューニング動作を実行し（ステップＳ９８）、このチューニング動作にて受信された放送局の受信周波数を前記受信メモリ２６に記憶更新し（ステップＳ９９）、前記ＳＲＡＭ１７に記憶中の追従元放送局の文字放送多重データを、そのまま保持し（ステップＳ１００）、この同一ＰＩ局追従モード処理の処理動作を終了する。
【０１５０】
従って、このような同一ＰＩ局追従モード処理によれば、現在受信中の放送局に対する同一局及び同一ＰＩ局を追従対象とし、同一局、同一ＰＩ局の順に優先順位を設定し、これら追従動作にて得られた追従先放送局が同一局であれば、優先的に最高の受信レベルを有する同一局に対してチューニング動作を実行すると共に、これら追従動作にて得られた追従先放送局が同一局でなければ、最高の受信レベルを有する同一ＰＩ局に対してチューニング動作を実行するようにしたので、ユーザーは、受信レベルの良好な、追従元放送局の同一局又は同一ＰＩ局を受信することができる。
【０１５１】
では、次に図２に示すステップＳ２５の同一エリア局追従モード処理について説明する。図９、図１０、図１１及び図１２は本実施の形態に示すＦＭ多重受信装置１０の同一エリア局追従モード処理におけるシステムＣＰＵ２４の処理動作を示すフローチャートである。
【０１５２】
この同一エリア局追従モード処理とは、その追従対象を、現在受信中の放送局とＡＦリストが完全一致する同一局と、現在受信中の放送局とＰＩコードが完全一致する同一ＰＩ局と、現在受信中の放送局とエリアコードが完全一致する同一エリア局とし、同一局、同一ＰＩ局、同一エリア局といった順に優先順位を設定し、この優先順位に基づいて最高の受信レベルを有する放送局に対してチューニング動作を実行する処理である。
【０１５３】
図９においてシステムＣＰＵ２４は、前記保持メモリ２５に記憶中のＡＦリスト、追従元放送局のＡＦリストに基づいて追従先候補の放送局に対する検索動作を実行し（ステップＳ１０１）、追従先候補の放送局があるか否かを判定する（ステップＳ１０２）。この追従先候補の放送局があれば、この追従先放送局のＰＩコード取得動作を監視する第１タイマをセットし（ステップＳ１０３）、この追従先候補の放送局に対する追従動作を実行し（ステップＳ１０４）、この追従動作にて得られた追従先放送局のＰＩコードを取得したか否かを判定する（ステップＳ１０５）。
【０１５４】
この追従先放送局のＰＩコードを取得したのであれば、ステップＳ１０３にてセットされた第１タイマをリセットし（ステップＳ１０６）、前記追従元放送局と追従先放送局とのＰＩコードが完全一致したか否かを判定する（ステップＳ１０７）。前記追従元放送局と追従先放送局とのＰＩコードが完全一致したのであれば、図１０に示すＭ８に移行する。
【０１５５】
また、ステップＳ１０２にて追従先候補の放送局がなければ、この同一エリア局追従モード処理の処理動作を終了する。
【０１５６】
また、ステップＳ１０５にて追従先放送局のＰＩコードが取得されたのでなければ、ステップＳ１０３にてセットされた第１タイマがタイムアップしたか否かを判定する（ステップＳ１０８）。この第１タイマがタイムアップしたのであれば、図１２に示すＭ１２に移行する。
【０１５７】
また、ステップＳ１０８にて第１タイマがタイムアップしたのでなければ、引き続き追従先放送局のＰＩコード取得動作を継続するステップＳ１０５に移行する。
【０１５８】
また、ステップＳ１０７にて追従元放送局と追従先放送局とのＰＩコードが完全一致したのでなければ、追従元放送局と追従先放送局とのエリアコードが一致したか否かを判定する（ステップＳ１０９）。尚、このエリアコードはＰＩコード内に含まれるものである。
【０１５９】
この追従元放送局と追従先放送局とのエリアコードが一致したのであれば、図１０に示すＭ９に移行する。また、追従元放送局と追従先放送局とのエリアコードが一致したのでなければ、図１２に示すＭ１２に移行する。
【０１６０】
図１０に示すＭ８においてシステムＣＰＵ２４は、現在受信中の追従先放送局のＡＦリスト取得を監視する第２タイマをセットし（ステップＳ１１１）、この追従先放送局のＡＦリストを取得したか否かを判定する（ステップＳ１１２）。この追従先放送局のＡＦリストを取得したのであれば、ステップＳ１１１にてセットされた第２タイマをリセットし（ステップＳ１１３）、追従元放送局と追従先放送局とのＡＦリストが完全一致したか否かを判定する（ステップＳ１１４）。この追従元放送局と追従先放送局とのＡＦリストが完全一致したのであれば、この追従先放送局を同一局と判断し（ステップＳ１１５）、図１１に示すＭ１１に移行する。
【０１６１】
また、ステップＳ１１２にて追従先放送局のＡＦリストが取得されたのでなければ、ステップＳ１１１にてセットされた第２タイマがタイムアップしたか否かを判定する（ステップＳ１１６）。この第２タイマがタイムアップしたのであれば、この追従先放送局を同一ＰＩ局と判断し（ステップＳ１１７）、図１１に示すＭ１１に移行する。
【０１６２】
また、ステップＳ１１６にて第２タイマがタイムアップしたのでなければ、引き続き追従先放送局のＡＦリスト取得動作を継続するステップＳ１１２に移行する。
【０１６３】
また、図１０に示すＭ９においてシステムＣＰＵ２４は、追従元放送局と追従先放送局とのエリアコードが一致したのであれば、この追従先放送局を同一エリア局と判断して（ステップＳ１１８）、図１１に示すＭ１１に移行する。
【０１６４】
図１１に示すＭ１１においてシステムＣＰＵ２４は、追従先候補メモリ２７に記憶中の放送局があるか否かを判定する（ステップＳ１２１）。この追従先候補メモリ２７に記憶中の放送局があれば、この追従先候補メモリ２７に記憶中の放送局が同一局であるか否かを判定する（ステップＳ１２２）。この追従先候補メモリ２７に記憶中の放送局が同一局であれば、前記追従動作にて得られた現在受信中の追従先放送局が同一局であるか否かを判定する（ステップＳ１２３）。
【０１６５】
現在受信中の追従先放送局が同一局であれば、現在受信中の追従先放送局の受信レベルが前記追従先候補メモリ２７に記憶中の放送局の受信レベルよりも良好であるか否かを判定する（ステップＳ１２４）。
【０１６６】
この現在受信中の追従先放送局の受信レベルが追従先候補メモリ２７に記憶中の放送局の受信レベルよりも良好であれば、この現在受信中の追従先放送局の受信周波数及び受信レベルを前記追従先候補メモリ２７に記憶更新し（ステップＳ１２５）、図１２に示すＭ１２に移行する。
【０１６７】
ステップＳ１２１にて追従先候補メモリ２７に記憶中の放送局がなければ、現在受信中の追従先放送局の受信周波数及び受信レベルを追従先候補メモリ２７を記憶更新するために図中のＭ１３に移行する。
【０１６８】
ステップＳ１２２にて追従先候補メモリ２７に記憶中の放送局が同一局でなければ、この追従先候補メモリ２７に記憶中の放送局が同一ＰＩ局であるか否かを判定する（ステップＳ１２６）。この追従先候補メモリ２７に記憶中の放送局が同一ＰＩ局であれば、現在受信中の追従先放送局が同一ＰＩ局であるか否かを判定する（ステップＳ１２７）。
【０１６９】
現在受信中の追従先放送局が同一ＰＩ局であれば、受信レベルの比較動作を実行するためにステップＳ１２４に移行する。また、ステップＳ１２７にて現在受信中の追従先放送局が同一ＰＩ局でなければ、現在受信中の追従先放送局が同一局であるか否かを判定する（ステップＳ１２８）。現在受信中の追従先放送局が同一局であれば、図中のＭ１３に移行する。
【０１７０】
また、ステップＳ１２６にて追従先候補メモリ２７に記憶中の放送局が同一ＰＩ局でなければ、この追従先候補メモリ２７に記憶中の放送局が同一エリア局であるか否かを判定する（ステップＳ１２９）。この追従先候補メモリ２７に記憶中の放送局が同一エリア局であれば、受信レベルの比較動作を実行するために図中のＭ１４に移行する。
【０１７１】
また、ステップＳ１２３にて現在受信中の追従先放送局が同一局でなければ、又はステップＳ１２４にて現在受信中の追従先放送局の受信レベルが前記追従先候補メモリ２７に記憶中の放送局の受信レベルよりも良好でなければ、又はステップＳ１２８にて現在受信中の追従先放送局が同一局でなければ、又はステップＳ１２９にて追従先候補メモリ２７に記憶中の放送局が同一エリア局でなければ、図１２に示すＭ１２に移行する。
【０１７２】
図１２に示すＭ１２においてシステムＣＰＵ２４は、図９に示すステップＳ１０１のＡＦリストに基づく全追従先候補に対する追従動作が終了したか否かを判定する（ステップＳ１３１）。この全追従先候補に対する追従動作が終了したのであれば、この追従先候補メモリ２７に記憶中の放送局があるか否かを判定する（ステップＳ１３２）。
【０１７３】
この追従先候補メモリ２７に記憶中の放送局があれば、追従先候補メモリ２７に記憶中の放送局が同一局であるか否かを判定する（ステップＳ１３３）。この追従先候補メモリ２７に記憶中の放送局が同一局でなければ、追従先候補メモリ２７に記憶中の放送局の受信周波数に基づいてチューニング動作を実行し（ステップＳ１３４）、このチューニング動作にて受信された放送局の受信周波数を前記受信メモリ２６に記憶更新し（ステップＳ１３５）、前記データ用ＳＲＡＭ１７に記憶中の追従元放送局の文字放送多重データを消去し（ステップＳ１３６）、現在受信中の放送局から文字放送多重データを抽出し、この抽出した文字放送多重データを前記データ用ＳＲＡＭ１７に記憶し（ステップＳ１３７）、この同一エリア局追従モード処理の処理動作を終了する。
【０１７４】
また、ステップＳ１３３にて追従先候補メモリ２７に記憶中の放送局が同一局であれば、この追従先候補メモリ２７に記憶中の放送局の受信周波数に基づいてチューニング動作を実行し（ステップＳ１３８）、このチューニング動作にて受信された放送局の受信周波数を前記受信メモリ２６に記憶更新し（ステップＳ１３９）、前記データ用ＳＲＡＭ１７に記憶中の、追従元放送局の文字放送多重データをそのまま保持して（ステップＳ１４０）、この同一エリア局追従モード処理の処理動作を終了する。
【０１７５】
また、ステップＳ１３１にて全追従先候補に対する追従動作が終了したのでなければ、残りの追従先候補に対する追従動作を実行するために図９に示すＭ１５に移行する。
【０１７６】
また、ステップＳ１３２にて追従先候補メモリ２７に記憶中の放送局がなければ、この同一エリア局追従モード処理の処理動作を終了する。
【０１７７】
従って、このような同一エリア局追従モード処理によれば、現在受信中の放送局の同一局、同一ＰＩ局及び同一エリア局を追従対象とし、同一局、同一ＰＩ局、同一エリア局の順に優先順位を設定し、この追従動作にて得られた放送局が同一局であれば、最優先に、同一局の内、最高の受信レベルを有する放送局に対してチューニング動作を実行すると共に、この追従動作にて得られた放送局が同一局でなければ、同一ＰＩ局の内、最高の受信レベルを有する放送局に対してチューニング動作を実行すると共に、さらに、この追従動作にて得られた放送局が同一局又は同一ＰＩ局でなければ、同一エリア局の内、最高の受信レベルを有する放送局に対してチューニング動作を実行するようにしたので、ユーザーは、受信レベルの良好な、追従元放送局の同一局、同一ＰＩ局又は同一エリア局を受信することができる。
【０１７８】
では、次に図２に示すステップＳ２６の同一ネット局追従モード処理について説明する。図１３、図１４、図１５、図１６及び図１７は本実施の形態に示すＦＭ多重受信装置１０の同一ネット局追従モード処理におけるシステムＣＰＵ２４の処理動作を示すフローチャートである。
【０１７９】
この同一ネット局追従モード処理とは、現在受信中の放送局の同一局、同一ＰＩ局、同一エリア局及び同一ネット局を追従対象とし、同一局、同一ＰＩ局、同一エリア局、同一ネット局の順に優先順位を設定し、この優先順位に基づいて最高の受信レベルを有する放送局に対してチューニング動作を実行する処理である。
【０１８０】
図１３においてシステムＣＰＵ２４は、前記保持メモリ２５に記憶保持中のＡＦリスト、つまり追従元放送局のＡＦリストに基づいて追従先候補の放送局に対する検索動作を実行し（ステップＳ１５１）、追従先候補の放送局があるか否かを判定する（ステップＳ１５２）。この追従先候補の放送局があれば、この追従先放送局のＰＩコード取得を監視する第１タイマをセットし（ステップＳ１５３）、この追従先放送局に対する追従動作を実行し（ステップＳ１５４）、この追従先放送局のＰＩコードが取得されたか否かを判定する（ステップＳ１５５）。
【０１８１】
この追従先放送局のＰＩコードが取得されたのであれば、ステップＳ１５３にてセットされた第１タイマをリセットし（ステップＳ１５６）、現在受信中の追従先放送局と前記追従元放送局とのＰＩコードが完全一致しているか否かを判定する（ステップＳ１５７）。現在受信中の追従先放送局と追従元放送局とのＰＩコードが完全一致しているのであれば、図１４に示すＭ１６に移行する。
【０１８２】
ステップＳ１５２にて追従先候補の放送局がなければ、この同一ネット局追従モード処理の処理動作を終了する。
【０１８３】
ステップＳ１５５にて追従先放送局のＰＩコードが取得されたのでなければ、ステップＳ１５３にてセットされた第１タイマがタイムアップしたか否かを判定する（ステップＳ１５８）。この第１タイマがタイムアップしたのであれば、図１７に示すＭ１９に移行する。
【０１８４】
ステップＳ１５８にて第１タイマがタイムアップしたのでなければ、引き続き追従先放送局のＰＩコード取得動作を継続するステップＳ１５５に移行する。
【０１８５】
また、ステップＳ１５７にて追従元放送局と追従先放送局とのＰＩコードが完全一致していなければ、前記追従元放送局と追従先放送局とのエリアコードが一致しているか否かを判定する（ステップＳ１５９）。前記追従元放送局と追従先放送局とのエリアコードが一致しているのであれば、この追従先放送局を同一エリア局と判断するために図１４に示すＭ１７に移行する。
【０１８６】
ステップＳ１５９にて追従元放送局と追従先放送局とのエリアコードが一致しているのでなければ、追従元放送局と追従先放送局とのネットワークコードが一致しているか否かを判定する（ステップＳ１６０）。このネットワークコードが一致しているのであれば、この追従先放送局を同一ネット局と判断するために図１４に示すＭ１８に移行する。
【０１８７】
また、ステップＳ１６０にて追従元放送局と追従先放送局とのネットワークコードが一致しなければ、図１７に示すＭ１９に移行する。
【０１８８】
図１４に示すＭ１６においてシステムＣＰＵ２４は、現在受信中の追従先放送局のＡＦリスト取得を監視する第２タイマをセットし（ステップＳ１６１）、現在受信中の追従先放送局のＡＦリストが取得されたか否かを判定する（ステップＳ１６２）。現在受信中の追従先放送局のＡＦリストが取得されたのであれば、ステップＳ１６１にてセットされた第２タイマをリセットし（ステップＳ１６３）、前記追従元放送局と追従先放送局とのＡＦリストが完全一致しているか否かを判定する（ステップＳ１６４）。これら追従元放送局と追従先放送局とのＡＦリストが完全一致していれば、この追従先放送局を同一局と判断して（ステップＳ１６５）、図１５に示すＭ２０に移行する。
【０１８９】
また、ステップＳ１６２にて現在受信中の追従先放送局のＡＦリストが取得されたのでなければ、ステップＳ１６１にてセットされた第２タイマがタイムアップしたか否かを判定する（ステップＳ１６６）。この第２タイマがタイムアップしたのでなければ、引き続き追従先放送局のＡＦリスト取得動作を継続するステップＳ１６２に移行する。
【０１９０】
また、ステップＳ１６６にて第２タイマがタイムアップしたのであれば、又は追従元放送局と追従先放送局とのＡＦリストが完全一致していなければ、この追従先放送局を同一ＰＩ局と判断し（ステップＳ１６７）、図１５に示すＭ２０に移行する。
【０１９１】
また、図１４に示すＭ１７においてシステムＣＰＵ２４は、追従元放送局と追従先放送局とのエリアコードが一致していれば、この追従先放送局を同一エリア局と判断し（ステップＳ１６８）、図１５に示すＭ２０に移行する。
【０１９２】
また、図１４に示すＭ１８においてシステムＣＰＵ２４は、追従元放送局と追従先放送局とのネットワークコードが一致していれば、この追従先放送局を同一ネット局と判断し（ステップＳ１６９）、図１５に示すＭ２０に移行する。
【０１９３】
図１５に示すＭ２０においてシステムＣＰＵ２４は、前記追従先候補メモリ２７に記憶中の放送局があるか否かを判定する（ステップＳ１７１）。この追従先候補メモリ２７に記憶中の放送局があれば、追従先候補メモリ２７に記憶中の放送局が同一局であるか否かを判定する（ステップＳ１７２）。この追従先候補メモリ２７に記憶中の放送局が同一局であれば、現在受信中の追従先放送局が同一局であるか否かを判定する（ステップＳ１７３）。
【０１９４】
現在受信中の追従先放送局が同一局であれば、現在受信中の追従先放送局の受信レベルが追従先候補メモリ２７に記憶中の放送局の受信レベルよりも良好であるか否かを判定する（ステップＳ１７４）。現在受信中の追従先放送局の受信レベルが追従先候補メモリ２７に記憶中の放送局の受信レベルよりも良好であれば、図１６に示すＭ２１に移行する。
【０１９５】
ステップＳ１７１にて追従先候補メモリ２７に記憶中の放送局がなければ、図１６に示すＭ２１に移行する。
【０１９６】
ステップＳ１７２にて追従先候補メモリ２７に記憶中の放送局が同一局でなければ、追従先候補メモリ２７に記憶中の放送局が同一ＰＩ局であるか否かを判定する（ステップＳ１７５）。この追従先候補メモリ２７に記憶中の放送局が同一ＰＩ局であれば、現在受信中の追従先放送局が同一ＰＩ局であるか否かを判定する（ステップＳ１７６）。現在受信中の追従先放送局が同一ＰＩ局であれば、受信レベルの比較動作を実行するステップＳ１７４に移行する。
【０１９７】
また、ステップＳ１７６にて現在受信中の追従先放送局が同一ＰＩ局でなければ、図１６に示すＭ２３に移行する。
【０１９８】
ステップＳ１７５にて追従先候補メモリ２７に記憶中の放送局が同一ＰＩ局でなければ、追従先候補メモリ２７に記憶中の放送局が同一エリア局であるか否かを判定する（ステップＳ１７７）。この追従先候補メモリ２７に記憶中の放送局が同一エリア局であれば、現在受信中の追従先放送局が同一エリア局であるか否かを判定する（ステップＳ１７８）。この追従先候補メモリ２７に記憶中の放送局が同一エリア局であれば、受信レベルの比較動作を実行するステップＳ１７４に移行する。
【０１９９】
また、ステップＳ１７８にて現在受信中の追従先放送局が同一エリア局でなければ、図１６に示すＭ２４に移行する。
【０２００】
ステップＳ１７７にて追従先候補メモリ２７に記憶中の放送局が同一エリア局でなければ、現在受信中の追従先放送局が同一ネット局であるか否かを判定する（ステップＳ１７９）。現在受信中の追従先放送局が同一ネット局であれば、受信レベルの比較動作を実行するステップＳ１７４に移行する。
【０２０１】
ステップＳ１７９にて現在受信中の追従先放送局が同一ネット局でなければ、図１６に示すＭ２５に移行する。
【０２０２】
図１６に示すＭ２１においてシステムＣＰＵ２４は、現在受信中の追従先放送局を前記追従先候補メモリ２７に記憶更新し（ステップＳ１８１）、図１７に示すＭ２６に移行する。
【０２０３】
図１６に示すＭ２３においてシステムＣＰＵ２４は、現在受信中の追従先放送局が同一局であるか否かを判定する（ステップＳ１８２）。現在受信中の追従先放送局が同一局であれば、ステップＳ１８１に移行する。
【０２０４】
図１６に示すＭ２４においてシステムＣＰＵ２４は、現在受信中の追従先放送局が同一局又は同一ＰＩ局であるか否かを判定する（ステップＳ１８３）。現在受信中の追従先放送局が同一局又は同一ＰＩ局であれば、ステップＳ１８１に移行する。
【０２０５】
図１６に示すＭ２５においてシステムＣＰＵ２４は、現在受信中の追従先放送局が同一局、同一ＰＩ局又は同一エリア局であるか否かを判定する（ステップＳ１８４）。現在受信中の追従先放送局が同一局、同一ＰＩ局又は同一エリア局であれば、ステップＳ１８１に移行する。
【０２０６】
また、ステップＳ１８２にて現在受信中の追従先放送局が同一局でなければ、又はステップＳ１８３にて現在受信中の追従先放送局が同一局又は同一ＰＩ局でなければ、又はステップＳ１８４にて現在受信中の追従先放送局が同一局、同一ＰＩ局又は同一エリア局でなければ、図１７に示すＭ２６に移行する。
【０２０７】
図１７に示すＭ２６においてシステムＣＰＵ２４は、図１３に示すステップＳ１５１のＡＦリストに基づく全追従先候補に対する追従動作が終了したか否かを判定する（ステップＳ１９１）。この全追従先候補に対する追従動作が終了したのであれば、この追従先候補メモリ２７に記憶中の放送局があるか否かを判定する（ステップＳ１９２）。
【０２０８】
この追従先候補メモリ２７に記憶中の放送局があれば、追従先候補メモリ２７に記憶中の放送局が同一局であるか否かを判定する（ステップＳ１９３）。この追従先候補メモリ２７に記憶中の放送局が同一局でなければ、追従先候補メモリ２７に記憶中の放送局の受信周波数に基づいてチューニング動作を実行し（ステップＳ１９４）、このチューニング動作にて受信された放送局の受信周波数を前記受信メモリ２６に記憶更新し（ステップＳ１９５）、前記データ用ＳＲＡＭ１７に記憶中の追従元放送局の文字放送多重データを消去し（ステップＳ１９６）、現在受信中の放送局から文字放送多重データを抽出し、この抽出した文字放送多重データを前記データ用ＳＲＡＭ１７に記憶し（ステップＳ１９７）、この同一ネット局追従モード処理の処理動作を終了する。
【０２０９】
また、ステップＳ１９３にて追従先候補メモリ２７に記憶中の放送局が同一局であれば、この追従先候補メモリ２７に記憶中の放送局の受信周波数に基づいてチューニング動作を実行し（ステップＳ１９８）、このチューニング動作にて受信された放送局の受信周波数を前記受信メモリ２６に記憶更新し（ステップＳ１９９）、前記データ用ＳＲＡＭ１７に記憶中の、追従元放送局の文字放送多重データをそのまま保持して（ステップＳ２００）、この同一ネット局追従モード処理の処理動作を終了する。
【０２１０】
また、ステップＳ１９１にて全追従先候補に対する追従動作が終了したのでなければ、残りの追従先候補に対する追従動作を実行するために図１３に示すＭ２７に移行する。
【０２１１】
また、ステップＳ１９２にて追従先候補メモリ２７に記憶中の放送局がなければ、この同一ネット局追従モード処理の処理動作を終了する。
【０２１２】
従って、このような同一ネット局追従モード処理によれば、現在受信中の放送局の同一局、同一ＰＩ局、同一エリア局及び同一ネット局を追従対象とし、同一局、同一ＰＩ局、同一エリア局、同一ネット局の順に優先順位を設定し、この追従動作にて得られた放送局が同一局であれば、最優先に、同一局の内、最高の受信レベルを有する放送局に対してチューニング動作を実行すると共に、この追従動作にて得られた放送局が同一局でなければ、同一ＰＩ局の内、最高の受信レベルを有する放送局に対してチューニング動作を実行すると共に、この追従動作にて得られた放送局が同一局又は同一ＰＩ局でなければ、同一エリア局の内、最高の受信レベルを有する放送局に対してチューニング動作を実行すると共に、この追従動作にて得られた放送局が同一局、同一ＰＩ局又は同一エリア局でなければ、同一ネット局の内、最高の受信レベルを有する放送局に対してチューニング動作を実行するようにしたので、ユーザーは、受信レベルの良好な、追従元放送局の同一局、同一ＰＩ局、同一エリア局又は同一ネット局を受信することができる。
【０２１３】
【発明の効果】
上記のように構成された本発明の多重放送受信装置によれば、追従動作実行手段にて得られた放送電波が追従動作直前の放送電波と同一内容の放送電波であると判定されると、これら判定された放送電波の内、所定の受信レベルを有する放送電波を受信手段に受信させるようにしたので、追従動作直前の放送電波と同一文字放送番組の放送電波に対して確実に追従動作を実行することができる。
【０２１４】
また、本発明における請求項２記載の多重放送受信装置によれば、追従動作実行手段にて得られた放送電波が追従動作直前の放送電波と同一内容の放送電波であると判定されると、これら判定された放送電波の内、所定の受信レベルを有する放送電波を受信手段に受信させると共に、この追従動作直前に記憶された文字放送多重データをそのまま記憶保持するようにした、つまり、追従動作直前の放送電波の番組内容と追従動作後の放送電波の番組内容とが同一内容であるので、記憶手段に記憶保持中の追従動作直前の文字放送多重データを全て消去したり、新たに追従動作後の放送電波の文字放送多重データを受信して、この文字放送多重データを記憶手段に記憶するといった無駄な動作を行うことなく、この同一文字放送番組に関わる放送局の文字放送多重データをスムーズに得ることができる。
【０２１６】
また、本発明における請求項３記載の多重放送受信装置によれば、操作手段からの入力に応じて同一放送判定手段の起動を開始するようにしたので、ユーザーの好みに応じて同一放送内容の放送電波に対する追従動作を実行するか否かを選択することができる。
【０２１７】
また、本発明における請求項４又は５記載の多重放送受信装置によれば、同一放送判定手段にて追従動作直前の放送電波と追従動作後の放送電波とが同一内容でないと判定されたのであれば、他の追従条件に基づいて追従動作を実行するようにしたので、バリエーションに富んだ追従動作を実現することができる。
【０２１８】
また、本発明における請求項６、７又は８記載の多重放送受信装置によれば、同一放送判定手段にて追従動作直前の放送電波と同一内容の放送電波でなければ、前記同一番組コード判定手段にて追従動作直前の放送電波と同一の番組識別コードを含む放送電波であると判定された放送電波の内、所定の受信レベルを有する放送電波を受信手段に受信させるようにしたので、同一内容の放送電波、同一番組識別コードの放送電波といった優先順位の追従条件で各放送電波を受信することができる。
【０２１９】
また、本発明における請求項９又は１０記載の多重放送受信装置によれば、前記同一放送判定手段にて追従動作直前の放送電波と同一内容の放送電波でなく、前記同一番組コード判定手段にて追従動作直前の放送電波と同一の番組識別コードの放送電波でなければ、前記同一地域コード判定手段にて追従動作直前の放送電波と同一の地域コードを含む放送電波であると判定された放送電波の内、所定の受信レベルを有する放送電波を受信手段に受信させるようにしたので、同一内容の放送電波、同一番組識別コードの放送電波、同一地域コードの放送電波といった優先順位の追従条件で各放送電波を受信することができる。
【０２２０】
また、本発明における請求項１１又は１２記載の多重放送受信装置によれば、前記同一ネットワークコード判定手段にて追従動作直前の放送電波と同一内容の放送電波でなく、前記同一番組コード判定手段にて追従動作直前の放送電波と同一の番組識別コードの放送電波でなく、前記同一地域コード判定手段にて追従動作直前の放送電波と同一の地域コードの放送電波でなければ、前記同一ネットワークコード判定手段にて追従動作直前の放送電波と同一のネットワークコードを含む放送電波であると判定された放送電波の内、所定の受信レベルを有する放送電波を受信手段に受信させるようにしたので、同一内容の放送電波、同一番組識別コードの放送電波、同一地域コードの放送電波、同一ネットワークコードの放送電波といった優先順位の追従条件で各放送電波を受信することができる。
【図面の簡単な説明】
【図１】本発明の実施の形態に示すＦＭ多重受信装置内部の概略構成を示すブロック図である。
【図２】本実施の形態に示すＦＭ多重受信装置の優先追従処理におけるシステムＣＰＵの処理動作を示すフローチャートである。
【図３】本実施の形態に示すＦＭ多重受信装置の同一局追従モード処理におけるシステムＣＰＵの処理動作を示すフローチャートである。
【図４】本実施の形態に示すＦＭ多重受信装置の同一局追従モード処理におけるシステムＣＰＵの処理動作を示すフローチャートである。
【図５】本実施の形態に示すＦＭ多重受信装置の同一局追従モード処理におけるシステムＣＰＵの処理動作を示すフローチャートである。
【図６】本実施の形態に示すＦＭ多重受信装置の同一ＰＩ局追従モード処理におけるシステムＣＰＵの処理動作を示すフローチャートである。
【図７】本実施の形態に示すＦＭ多重受信装置の同一ＰＩ局追従モード処理におけるシステムＣＰＵの処理動作を示すフローチャートである。
【図８】本実施の形態に示すＦＭ多重受信装置の同一ＰＩ局追従モード処理におけるシステムＣＰＵの処理動作を示すフローチャートである。
【図９】本実施の形態に示すＦＭ多重受信装置の同一エリア局追従モード処理におけるシステムＣＰＵの処理動作を示すフローチャートである。
【図１０】本実施の形態に示すＦＭ多重受信装置の同一エリア局追従モード処理におけるシステムＣＰＵの処理動作を示すフローチャートである。
【図１１】本実施の形態に示すＦＭ多重受信装置の同一エリア局追従モード処理におけるシステムＣＰＵの処理動作を示すフローチャートである。
【図１２】本実施の形態に示すＦＭ多重受信装置の同一エリア局追従モード処理におけるシステムＣＰＵの処理動作を示すフローチャートである。
【図１３】本実施の形態に示すＦＭ多重受信装置の同一ネット局追従モード処理におけるシステムＣＰＵの処理動作を示すフローチャートである。
【図１４】本実施の形態に示すＦＭ多重受信装置の同一ネット局追従モード処理におけるシステムＣＰＵの処理動作を示すフローチャートである。
【図１５】本実施の形態に示すＦＭ多重受信装置の同一ネット局追従モード処理におけるシステムＣＰＵの処理動作を示すフローチャートである。
【図１６】本実施の形態に示すＦＭ多重受信装置の同一ネット局追従モード処理におけるシステムＣＰＵの処理動作を示すフローチャートである。
【図１７】本実施の形態に示すＦＭ多重受信装置の同一ネット局追従モード処理におけるシステムＣＰＵの処理動作を示すフローチャートである。
【図１８】従来技術の多重放送受信装置の弱電界追従処理の処理動作を示すフローチャートである。
【図１９】従来技術の多重放送受信装置の強電界追従処理の処理動作を示すフローチャートである。
【符号の説明】
１０  ＦＭ多重受信装置（多重放送受信装置）
１１  受信アンテナ（受信手段）
１３  ＰＬＬ回路（受信手段、追従動作実行手段）
１４  チューナ部（受信手段、追従動作実行手段、受信レベル検出手段）
１５  多重デスクランブル（データ抽出手段）
１６  多重デコーダ（データ抽出手段）
１７  データ用ＳＲＡＭ（記憶手段）
２０  キー部（操作手段）
２４  システムＣＰＵ（制御手段、同一放送判定手段、同一番組コード判定手段、同一地域コード判定手段、同一ネットワークコード判定手段）
【図１】
0003734604.tif 000002
【図２】
0003734604.tif 000003
【図３】
0003734604.tif 000004
【図４】
0003734604.tif 000005
【図５】
0003734604.tif 000006
【図６】
0003734604.tif 000007
【図７】
0003734604.tif 000008
【図８】
0003734604.tif 000009
【図９】
0003734604.tif 000010
【図１０】
0003734604.tif 000011
【図１１】
0003734604.tif 000012
【図１２】
0003734604.tif 000013
【図１３】
0003734604.tif 000014
【図１４】
0003734604.tif 000015
【図１５】
0003734604.tif 000016
【図１６】
0003734604.tif 000017
【図１７】
0003734604.tif 000018
【図１８】
0003734604.tif 000019
【図１９】
0003734604.tif 000020